(57)【要約】【課題】畝間の通路を安定姿勢で牽引しながら、畝上の作物に対し薬液や液肥等の液体を安定して噴霧できる噴霧機を提供する。【解決手段】機体１１と、機体１１を支持する左右一対の主輪１２と、機体１１の牽引方向前方に位置するハンドル部１３とを備え、機体１１を人力で牽引しながら、ポンプにより圧送される液体を機体後部の噴管１５の噴口１６から機体１１側方に噴霧する噴霧機であって、機体１１前部に下向きのフォーク２２を取付け、フォーク２２の先端に前記ハンドル部１３の直下に位置する補助輪２３を支持させる。【選択図】図１
0003152269.tif 000002
【実用新案登録請求の範囲】
【請求項１】
機体と、機体を支持する左右一対の主輪と、機体の牽引方向前方に位置するハンドル部とを備え、機体を人力で牽引しながら、ポンプにより圧送される液体を機体後部の噴管の噴口から機体側方に噴霧する噴霧機であって、機体前部に下向きのフォークを取付け、フォークの先端に前記ハンドル部の直下に位置する補助輪を支持させたことを特徴とする噴霧機。
【請求項２】
前記補助輪をハンドル部の根元付近の直下に位置させたことを特徴とする請求項１記載の噴霧機。
【請求項３】
前記フォークを、機体側の上フォーク部と補助輪を支持する側の下フォーク部とに分け、上フォーク部に対し下フォーク部を着脱可能としたことを特徴とする請求項１又は請求項２記載の噴霧機。
【請求項４】
前記フォークの長さを調整可能としたことを特徴とする請求項１ないし請求項３記載のいずれか一項に記載の噴霧機。
【請求項５】
前記補助輪を左右一対設けたことを特徴とする請求項１ないし請求項４記載のいずれか一項に記載の噴霧機。
【考案の詳細な説明】
【技術分野】
【０００１】
本考案は、畝間の通路を安定姿勢で進行させながら、畝上の作物に対し薬液や液肥等の液体を噴霧するようにした噴霧機に関する。
【背景技術】
【０００２】
畝間の通路上を自走で移動しながら畝上の作物に対し水や薬液を散布するようにした自走式噴霧機が知られている（例えば、特許文献１、特許文献２を参照）。特許文献１の噴霧機は、畝間の走行路上を、内蔵バッテリーにより前後輪を駆動して走行しつつ、噴霧ノズルにより水や薬液等を噴霧する。特許文献２の噴霧機は、茶園内の畝間に敷設したレールに沿って往復移動しながら薬液等を噴霧する。
【０００３】
また、市販の噴霧機として、比較的大径の車輪を左右に備え、スタンドで直立姿勢に保持され、作業者がハンドル部を手で持ち上げてスタンドから離れ、人力で畝間の通路上を牽引し、左右の畝上の作物に対し噴霧ノズルにより薬液を噴霧するものも知られている。
【先行技術文献】
【特許文献】
【０００４】
【特許文献１】特開平５−２６１３１８号公報
【特許文献２】特開平８−２９４３４７号公報
【考案の概要】
【考案が解決しようとする課題】
【０００５】
しかしながら、自走式の噴霧機は、エンジンや駆動機構を備え、構造上複雑となりがちで、コストが高く付き、小規模の圃場では導入しにくい。一方、上記の人力による牽引タイプの市販の噴霧機は、ハンドル部を手で持ち上げた姿勢で畝間を移動させるために安定姿勢をとりにくく、安定した噴霧作業がしづらいという課題がある。
【０００６】
本考案は上記課題に鑑みてなされたもので、畝間の通路を安定姿勢で牽引しながら、畝上の作物に対し薬液や液肥等の液体を安定して噴霧できる噴霧機を提供することを目的とする。
【課題を解決するための手段】
【０００７】
上記課題を解決するために、本考案に係る噴霧機は、
機体と、機体を支持する左右一対の主輪と、機体の牽引方向前方に位置するハンドル部とを備え、機体を人力で牽引しながら、ポンプにより圧送される液体を機体後部の噴管の噴口から機体側方に噴霧する噴霧機であって、機体前部に下向きのフォークを取付け、フォークの先端に前記ハンドル部の直下に位置する補助輪を支持させたことを第１の特徴とする。
【０００８】
本考案に係る噴霧機によると、後方の左右一対の主輪と前方のハンドル部直下の補助輪とによって、畝間の通路上を安定姿勢を保持したまま牽引することができ、畝上の作物に対し薬液や液肥等を安定して噴霧することができる。しかも、機体前部に下向きにフォークを取付け、フォークの先端にハンドル部の直下に位置する補助輪を支持させるという簡易な構造でかかる作用を実現できる。
【０００９】
本考案に係る噴霧機は、前記補助輪をハンドル部の根元付近の直下に位置させたことを第２の特徴とする。補助輪をハンドル部の操作と干渉しない根元付近の直下に位置させることで、機体を安定姿勢に保持しながら、牽引時あるいは旋回時におけるハンドル部の操作性を向上させることができる。
【００１０】
本考案に係る噴霧機は、前記フォークを、機体側の上フォーク部と補助輪を支持する側の下フォーク部とに分け、上フォーク部に対し下フォーク部を着脱可能としたことを第３の特徴とする。
【００１１】
本考案に係る噴霧機は、前記フォークの長さを調整可能としたことを第４の特徴とする。ハンドル部の高さを作業者のハンドル操作しやすい高さに調整して、作業性の向上を図ることができる。
【００１２】
本考案に係る噴霧機は、前記補助輪を左右一対設けたことを第５の特徴とする。畝間の通路幅が広い場合などにおいて、一対の補助輪を接地させることで、機体をより安定して牽引することができる。
【００１３】
本考案に係る噴霧機は、前記左右一対設けた補助輪間の幅を調整可能としたことを第５の特徴とする。畝間の通路幅の広狭に柔軟に対応させることが可能である。
【考案の効果】
【００１４】
以上説明したように、本考案に係る噴霧機によると、後方の左右一対の主輪と前方のハンドル部直下の補助輪とによって、畝間の通路上を安定姿勢を保持したまま機体を牽引することができ、畝上の作物に対し薬液や液肥等を安定して噴霧することができる。また、作業者は従来のようにハンドル部を持ち上げた主輪だけの不安定な姿勢での噴霧作業を行なわずに済み、噴霧作業を楽に効率よく行なうことができる。さらに市販の噴霧機のような専用のスタンドが要らないという効果を奏する。
【図面の簡単な説明】
【００１５】
【図１】本考案の第１の実施形態を示すもので、本考案に係る噴霧機を用いて噴霧する様子を示す斜視図、
【図２】図１に示す噴霧機の上フォーク部に下フォーク部を取り付ける様子を示す正面図、
【図３】本考案の第２の実施形態を示すもので、本考案に係る噴霧機を用いて噴霧する様子を示す斜視図、
【図４】図３に示す噴霧機の上フォーク部に下フォーク部を取り付ける様子を示す正面図、
【図５】図４に示す下フォーク部に左右から一対の補助輪を取り付ける様子を示す平面図である。
【考案を実施するための最良の形態】
【００１６】
以下、本考案を実施するための最良の形態について図面を参照して説明する。図１および図２は、本考案の第１実施形態を示すもので、これらの図において、符号１０は噴霧機を示している。
【００１７】
噴霧機１０は、図１に示すように、機体１１と、機体１１を支持する左右一対の主輪１２と、機体１１の牽引方向前方に位置するハンドル部１３とを備え、機体１１を人力で牽引しながら、図示しないタンクからポンプによりホース１４内を圧送された薬液や液肥等の液体を機体１１後部の噴管１５の各噴口１６から左右の畝Ｕに向けて噴霧するように構成されている。
【００１８】
機体１１は、主輪１２の直上の支柱１７と、支柱１７に連結されて牽引方向前方に延びる前方フレーム１８とから構成され、それら支柱１７および前方フレーム１８は鉄製又はアルミニウム製のパイプ部材からなる。支柱１７の下端部には前記車輪１２の車軸１９を支持する軸受部２０が固定されている。支柱１７にはブランケット２１を介して２本の前記噴管１５が地面に対し略垂直姿勢で保持されている。各噴管１５には上下に複数（図示例の場合、左右にそれぞれ５つ）の噴口１６が設けられ、ホース１４から噴管１５に圧送され後述のバッテリー２９からの電気により帯電された液体が各噴口１６から左右の畝Ｕに向けて一斉に噴霧されるようになっている。
【００１９】
機体１１の前方フレーム１８は、前方へ向けて斜め上向き姿勢とされ、前方フレーム１８の先端部に前記ハンドル部１３が、噴霧作業者の持ち易い高さに取り付けられている。ハンドル部１３は鉄製又はアルミニウム製のパイプ部材をコ字状に曲げてなる。前方フレーム１８前部にはハンドル部１３の根元付近から前方フレーム１８と直角で下向きにフォーク２２が取り付けられている。このフォーク２２は、補助輪２３を回転自在に支持するもので、前方フレーム１８側に取り付けられた上フォーク部２４と、補助輪２３の車軸２５を二股部２６Ａで支持する下フォーク部２６に分けられている。
【００２０】
図２に示すように、上フォーク部２４に対し下フォーク部２６は着脱可能とされている。すなわち、上フォーク部２４の下部にナット２４Ａおよびその下にボルト孔２４Ｂが設けられ、下フォーク部２６の上部に上下方向に複数箇所（図示例では３箇所）ボルト孔２６Ｂが設けられている。そして、下フォーク部２６の上部を上フォーク部２４の下端開口から挿入し、かかる状態で、外からボルト２７をナット２４Ａに螺合しつつ、上フォーク部２４のボルト孔２４Ｂおよび下フォーク部２６の一のボルト孔２６Ｂに挿通することにより、上フォーク部２４に対し下フォーク部２６を連結し、かつフォーク２２全の長さを調整することができる。これにより作業者の身長に合せてハンドル部１３の高さを調整できるようになっている。
【００２１】
補助輪２３は、後方の左右一対の主輪１２とともに、噴霧作業にあたり、牽引する機体１１を畝Ｕ間の通路Ｔ上に安定姿勢に保持するもので、補助輪２３の存在により機体１１を安定姿勢で畝Ｕ間の通路Ｔ上を人力で牽引し（牽引方向Ｓ）、機体１１の側方の畝Ｕ上の作物に対し液体を噴霧できる。図示例の場合、補助輪２３は主輪１２よりも１／３から２／３の間の径寸法とされる。１／３よりも小さいと、地面の凹凸を拾いやすく安定した噴霧が難しく、２／３よりも大きいと、ハンドル部１３の取り回しその他の作業性が悪くなる。
【００２２】
上フォーク部２４と主輪１２の軸受部２０との間には第１補助フレーム２８が連結されており、第１補助フレーム２８によって上フォーム２４の下向き姿勢の角度が保持されている。
【００２３】
なお、符号２９は機体１１の第２補助フレーム３０上に設置されたバッテリーを示し、バッテリー２９からはバッテリーコード３１が各噴口１６まで延び、スイッチを入れることで、噴霧される液体が帯電し、液体が作物の葉の表裏に効率よく付着される。また、符号３２はホース１４内の通路を開閉するコックを示す。
【００２４】
次に、上記構成の噴霧機１を用いて薬液を噴霧する方法について以下に説明する。
【００２５】
準備作業として、噴霧機１を圃場の畝Ｕ間の通路Ｔ上の端に位置させ、図示しない薬液タンクにホース１４を接続する。このとき、ハンドル部１３を牽引方向前方に噴口１６を牽引方向後方に位置させる。次に、図示しないポンプのモータのスイッチを入れるとともに、ハンドル部１３を手で持ちながら、コック３２を開き、畝Ｕ間の通路Ｔ上の機体１１を牽引する。図１に示すように、噴霧機１の進行中、図示しない薬液タンク内の液体がホース１４内を圧送され、２本の噴管１５を通り各噴口１６から左右の畝Ｕ上の作物に向けて薬液が噴霧される。
【００２６】
噴霧機１は、後方の左右一対の主輪１２とともに前方の補助輪２３によって、畝Ｕ間の通路Ｔ上にしっかりと安定支持され、安定姿勢を保持したまま牽引できるから、畝Ｕ上の農作物に対し左右の噴口１６から薬液が安定して均一に噴霧される。また、作業者は従来のようにハンドル部１３を持ち上げた主輪１２だけの不安定な噴霧姿勢で作業を行わずに済む。
【００２７】
圃場の一方の端から他方の端まで機体１１を牽引したら、機体１１をＵターンさせ、今度は一方の端へ向けて機体１１を牽引し、畝Ｕへの噴霧作業を繰り返す。機体１１を安定姿勢で牽引できるから、作業ロスも少なく、噴霧作業を効率的に短時間で行うことができる。作業者の労力の負担も軽減される。
【００２８】
補助輪２３がハンドル部１３の操作と干渉しない根元付近の直下に位置するから、機体１１を安定姿勢に保持しながら、牽引時あるいは旋回時におけるハンドル部１３の操作性を向上させることができる。
【００２９】
図３ないし図５は、本考案の第２実施形態を示すもので、これらの図において、第１実施形態と同じ部材には同一符号を付してその説明を省略する。
【００３０】
第２実施形態においては、図３に示す噴霧機１０’には左右一対の補助輪２３、２３が設けられている。左右の補助輪２３、２３は、図４および図５に示すように、それらの車軸３２が、下フォーク部３３の下端に横向きに取り付けられたパイプ状の水平部材３４の左右開口部に挿入されている。水平部材３４の両端部には、ナット３４Ａおよびその下のボルト孔３４Ｂが設けられ、補助輪２３側の車軸３２には、複数箇所（図示例では３箇所）にボルト孔３２Ａが設けられている。そして、左右の車輪２３の車軸３２を水平部材３４に挿入し、かかる状態で、外からボルト２７をナット３４Ａに螺合しつつ、水平部材３４のボルト孔３４Ｂおよび車軸３２の一のボルト孔３２Ａに挿通することにより、水平部材３４に対し各車軸３２を連結し、かつ左右の補助輪２３、２３間の幅寸法を調整することができる。
【００３１】
また、第１実施形態と同じく、下フォーク部３３の上部を上フォーク部２４の下端開口に挿入し、かかる状態で、外からボルト２７をナット２４Ａに螺合しつつ、上フォーク部２４のボルト孔２４Ｂおよび下フォーク部３３の一のボルト孔３３Ａに挿通することにより、上フォーク部２４に対し下フォーク部３３を連結し、かつフォーク２２’全体の長さを調整することができる。
【００３２】
本実施形態によると、畝Ｕ間の通路Ｔの幅がより広い場合などにおいて、左右一対の補助輪２３、２３を通路Ｔ上に接地させることで、機体１１をより安定して牽引することができる。また、ボルト２７を挿通するボルト孔３２Ａの位置を変更することにより、左右の補助輪２３間の幅を調整できるので、畝Ｕ間の通路Ｔの幅の広狭に柔軟に対応させることができる。
【００３３】
さらに第１および第２実施形態によると、上フォーク部２４に対し第１実施形態の下フォーク部２６および第２実施形態の下フォーク部３３のいずれも着脱可能であるので、畝Ｕ間の通路Ｔの幅・接地面形状などの現場の状況に合わせて、補助輪２３として一輪タイプ、両輪タイプのいずれかを適宜選択して使用することができる。
【００３４】
しかも、本考案の噴霧機では、上に述べた従来の市販の噴霧機で用いられたような専用のスタンドも不要である。
【産業上の利用可能性】
【００３５】
本考案に係る噴霧機は、畝間の通路上を牽引し、畝上の作物に対し薬液や液肥などの液体を噴霧する作業に利用することができる。
【符号の説明】
【００３６】
１０，１０’  噴霧機
１１  機体
１２  主輪
１３  ハンドル部
１４  ホース
１５  噴管
１６  噴口
１７  支柱
１８  前方フレーム
１９，２５，３２  車軸
２０  軸受部
２１  ブランケット
２２  フォーク
２３  補助輪
２４  上フォーク部
２４Ｂ，２６Ｂ，３２Ａ，３４Ｂ  ボルト孔
２６，３３  下フォーク部
２７  ボルト
２８  第１補助フレーム
２９  バッテリー
３０  補助フレーム
３１  バッテリーコード
３４  水平部材
Ｕ  畝
Ｓ  牽引方向（進行方向）
【図１】
0003152269.tif 000003
【図２】
0003152269.tif 000004
【図３】
0003152269.tif 000005
【図４】
0003152269.tif 000006
【図５】
0003152269.tif 000007